(57)【要約】【課題】温室内の栽培環境を良好な状態に保つ。【解決手段】温室内外の温度や温室内外の相対湿度などから換気速度を算出する。算出した換気速度から温室内床面積当たりの潜在追加蒸発散速度を求め、この潜在追加蒸発散速度を温室内床面積当たりの必要細霧発生速度とし、この温室内床面積当たりの細霧発生速度に床面積を乗じることにより温室当たりの必要細霧発生速度を求める。求めた必要細霧発生速度と細霧発生周期（Ｐｆｂ（ｓ））とから細霧発生時間（Ｐｆ（ｓ））を算出する。もしくは、必要細霧発生速度から細霧発生ポンプの必要吐出圧力を算出する。細霧発生中、温室内が高湿度状態（例えば、相対湿度が９０％以上）となると、温室への細霧の発生を停止する。【選択図】  図１
2005176721.tif 000002
【特許請求の範囲】
【請求項１】
換気口を有する温室へ細霧を供給し、この細霧が気化する際に奪う熱を利用して前記温室内の冷房を行う温室制御システムにおいて、
前記温室の内外の環境に基づいて前記換気口からの換気の速度を算出する換気速度算出手段と、
この換気速度算出手段によって算出された換気速度に基づいて前記温室への細霧の供給速度を制御する細霧供給速度制御手段と
を備えたことを特徴とする温室制御システム。
【請求項２】
換気口を有する温室へ細霧を供給し、この細霧が気化する際に奪う熱を利用して前記温室内の冷房を行う温室制御システムにおいて、
設定される換気設定温度とこの換気設定温度よりも高い細霧供給設定温度を閾値として記憶する閾値記憶手段と、
前記温室内の温度が前記換気設定温度よりも高くなった場合に前記換気口を開く換気口制御手段と、
前記温室内の温度が前記細霧供給設定温度よりも高くなった場合に前記温室への細霧の供給を開始する細霧供給開始手段と、
前記温室への細霧供給中に前記温室内が所定の値を上回る高湿度状態となった場合に前記温室への細霧の供給を停止する細霧供給停止手段と
を備えたことを特徴とする温室制御システム。
【請求項３】
換気口を有する温室へ細霧を供給し、この細霧が気化する際に奪う熱を利用して前記温室内の冷房を行う温室制御方法において、
前記温室の内外の環境に基づいて前記換気口からの換気の速度を算出する工程と、
算出された前記換気速度に基づいて前記温室内の温度を設定温度に保つように前記温室への細霧の供給速度を制御する工程と
を備えたことを特徴とする温室制御方法。
【請求項４】
換気口を有する温室へ細霧を供給し、この細霧が気化する際に奪う熱を利用して前記温室内の冷房を行う温室制御方法において、
設定される換気設定温度とこの換気設定温度よりも高い細霧供給設定温度を閾値として記憶する工程と、
前記温室内の温度が前記換気設定温度よりも高くなった場合に前記換気口を開く工程と、
前記温室内の温度が前記細霧供給設定温度よりも高くなった場合に前記温室への細霧の供給を開始する工程と、
前記温室への細霧供給中に前記温室内が所定の値を上回る高湿度状態となった場合に前記温室への細霧の供給を停止する工程と
を備えたことを特徴とする温室制御方法。
【発明の詳細な説明】
【技術分野】
【０００１】
この発明は、温室へ細霧を供給し、この細霧が気化する際に奪う熱を利用して温室内の冷房を行う温室制御システムおよび温室制御方法に関するものである。
【背景技術】
【０００２】
日本における温室設置面積は約５．４万ｈａであり、農園産業の重要部分を担っている。他方、国際競争、産地間競争が激しくなる中で、経営効率化のための温室周年利用の需要が高まっている。しかし、夏季の晴天時の昼間では、換気窓を全開しても温室内は過高温となる。温室内の過高温を抑制するために、遮光カーテンが利用されているが、遮光カーテンによって日差しを遮ると、植物の光合成を妨げ、その結果生育が妨げられる。
【０００３】
そこで、最近では、温室へ細霧を供給し、この細霧が気化する際に奪う熱を利用して温室内の冷房を行う細霧冷房法が考えられている（例えば、特許文献１参照）。この細霧冷房法を用いれば、遮光しなくても温室内の温度を適切な温度に保つことが可能となる。これにより、遮光カーテンの利用を減らし、植物の光合成を妨げ、その結果生育が妨げられることを防ぐことができる。
【０００４】
細霧冷房法を用いた現在の温室制御システム（以下、温室細霧冷房システムと呼ぶ）における制御方法は極めて単純である。温室細霧冷房システムには、制御盤が設けられており、この制御盤に温度指示調節計と、昼間時間設定のための２４時間時刻タイマと、細霧発生時間設定タイマと、細霧発生休止時間設定タイマとが設けられている。温度指示調節計は、温室内の現在温度を指示するとともに、温室内の温度設定および設定温度の調節を可能とする。２４時間時刻タイマは昼間時間の開始時刻と終了時刻の設定を可能とする。この温室細霧冷房システムでは、２４時間時刻タイマによって設定された昼間時間の間、温室内の温度が設定温度に合致するように細霧冷房が行われる。
【０００５】
この細霧冷房において、細霧を発生するために用いられるポンプ（以下、このポンプを細霧ポンプと呼ぶ）は、室内の温度が設定温度を超えると、細霧発生時間設定タイマで定められた細霧発生時間（細霧ポンプ稼働時間）Ｐｆ（ｓ）の間だけ作動し（図７参照）、細霧発生休止時間設定タイマで定められた細霧発生休止時間（細霧ポンプ稼働休止時間）Ｐｂ（ｓ）の間だけ休止し、この作動と休止とを繰り返す。すなわち、Ｐｆ（ｓ）＋Ｐｂ（ｓ）を細霧発生周期Ｐｆｂ（ｓ）として、細霧ポンプの作動と休止とを繰り返す。もしくは、必要細霧発生速度を算定した後、吐出圧力を調節する。
【０００６】
〔温室細霧冷房の理論的基礎の概要〕
温室細霧冷房システムにおいて、温室内の温度の理論的最低値は、（１）屋外日射が零、（２）換気率が無限大、（３）温室被覆面から侵入する熱が零、であるときに実現され、その値は外気の湿球温度である。なお、我が国の夏期の昼間における外気の湿球温度は、天候によらず、関東では２４〜２５℃程度、九州では２５〜２６℃程度である。
現実には、日射による温室内空気の加熱に伴う温度上昇や換気率が屋外風速、換気窓開口面積などの制限により変化するなどの理由により、室内温度は外気湿球温度より数度高くなるのが普通である。
したがって、室外温度が３０〜３５℃かつ遮光しない場合でも、細霧冷房を適切に行えば、室内温度を３０℃程度、室内湿球温度を２８℃程度（室内相対湿度８５％程度）に維持することが可能である。室内温度を低下させかつ室内相対湿度を適切に維持するには、換気回数を高く維持すること、適切な量の細霧を十分に気化させること、強光時には遮光することなどが効果的である。
【０００７】
【特許文献１】特開２００３−２８９７２８号公報
【非特許文献１】温室設計の基礎と実際、三原編著、養賢堂、１９９０年。
【発明の開示】
【発明が解決しようとする課題】
【０００８】
しかしながら、従来の温室細霧冷房システムでは、細霧発生時間Ｐｆ（ｓ）や細霧発生休止時間Ｐｂ（ｓ）を管理者が経験と勘によって設定しており、温室の換気速度（換気窓開度と屋外風速に依存する）、温室内外気温差、温室内相対湿度、遮光カーテンの開度など温室の内外の環境と制御機器の動作状態が考慮されていない。このため、温室の内外の環境が変化すると、細霧の供給量が適切とならず、温室内の温湿度が激しく変動し、栽培環境が良好な状態に保たれないことがある。
また、従来の温室細霧冷房システムでは、温室内の温度が設定温度を超えた場合、室内温度が設定温度を下回るまで、細霧ポンプの作動と休止とが繰り返される。この場合、温室への細霧の供給量が過剰となって、温室内の相対湿度が例えば９０％以上の高湿度状態となり、作物がぬれ、蒸散が抑制される、病害拡大の誘因となるなどして、栽培環境が良好な状態に保たれないことがある。
【０００９】
本発明は、このような課題を解決するためになされたもので、その目的とするところは、温室内の栽培環境を良好な状態に保つことができる温室制御システムおよび温室制御方法を提供することにある。
【課題を解決するための手段】
【００１０】
このような目的を達成するために、第１発明は、換気口（自然換気口または強制換気口あるいはその両方）を有する温室へ細霧を供給し、この細霧が気化する際に奪う熱を利用して温室内の冷房を行う温室制御システムにおいて、温室の内外の環境に基づいて換気口からの換気の速度を算出する換気速度算出手段と、この換気速度算出手段によって算出された換気速度に基づいて温室への細霧の供給速度（細霧の発生速度）を制御する細霧供給速度制御手段とを設けたものである。
【００１１】
この発明によれば、温室の内外の環境、例えば温室内外の温度や温室内外の相対湿度などから換気速度が算出され、この算出された換気速度に基づいて温室への細霧の発生速度が制御される。この細霧の発生速度の制御によって、温室内外の環境に拘わらず、常に適切な量の細霧を温室内に供給することが可能となる。
なお、温室の内外の環境に基づく換気速度については、例えば、温室の熱収支式から導かれる式を使用して算出することができる。この式によって換気速度の算定が困難な場合は、温室内外の温度，換気口開度などから概算することも可能である。
換気速度に基づく温室への細霧の発生速度については、例えば、換気速度から温室内床面積当たりの潜在追加蒸発散速度を求め、この潜在追加蒸発散速度を温室内床面積当たりの必要細霧発生速度とし、この温室内床面積当たりの必要細霧発生速度に床面積を乗じることにより温室当たりの必要細霧発生速度を求めるというようにして算出する。
細霧の発生速度の制御については、例えば、必要細霧発生速度と細霧発生周期（Ｐｆｂ（ｓ））とから、実際の細霧発生速度が必要細霧発生速度となるような細霧発生時間（Ｐｆ（ｓ））を算出する。この算出した細霧発生時間（Ｐｆ（ｓ））のあいだ細霧ポンプを作動させ、Ｐｆｂ（ｓ）−Ｐｆ（ｓ）として得られる細霧発生休止時間Ｐｂ（ｓ）のあいだ細霧ポンプを休止させ、この作動と休止とを繰り返すことにより、温室への細霧の発生速度が必要細霧発生速度となる。
なお、細霧発生休止時間Ｐｂ（ｓ）を零とし、すなわち細霧を連続発生させるものとし、細霧発生ポンプの吐出圧力や細霧発生ノズルの使用数を調整することによって細霧発生速度を制御するようにしてもよい。
【００１２】
第２発明は、換気口を有する温室へ細霧を供給し、この細霧が気化する際に奪う熱を利用して温室内の冷房を行う温室制御システムにおいて、設定される換気設定温度とこの換気設定温度よりも高い細霧供給設定温度（細霧発生設定温度）を閾値として記憶する閾値記憶手段と、温室内の温度が換気設定温度よりも高くなった場合に換気口を開く換気口制御手段と、温室内の温度が細霧供給設定温度よりも高くなった場合に温室への細霧の発生を開始する細霧供給開始手段と、温室への細霧供給中に温室内が所定の値を上回る高湿度状態となった場合に温室への細霧の供給を停止する細霧供給停止手段とを設けたものである。
【００１３】
この発明によれば、温室内の温度が換気設定温度よりも高くなると、換気口が開かれる。温室内の温度がさらに上昇し、細霧発生設定温度よりも高くなると、温室への細霧の発生が開始される。この温室への細霧発生中、温室内が所定の値を上回る高湿度状態（例えば、相対湿度が９０％以上）となると、温室への細霧の発生が停止される。これにより、温室への細霧の供給が抑制され、温室内が高湿度状態となることが避けられる。
【００１４】
なお、本発明（第１、第２発明）において、温室は換気口を有することを前提とするが、遮光カーテンはあってもなくてもよい。すなわち、遮光カーテンは高温抑制のためのやむを得ない手段であり、強光時にも細霧冷房によって温室内の温度が適切に制御されるのであれば、遮光カーテンは必ずしも必要としない。また、本発明は、温室制御方法としてシステムに適用することも可能である。
【発明の効果】
【００１５】
第１発明によれば、温室の内外の環境に基づいて換気速度が算出され、この算出された換気速度に基づいて温室への細霧の発生速度が制御されるものとなり、これにより、温室内外の環境に拘わらず、常に適切な量の細霧を温室内に供給することが可能となり、温室内の激しい温湿度変動をなくして、温室内の栽培環境を良好な状態に保つことができるようになる。
第２発明によれば、温室への細霧発生中、温室内が所定の値を上回る高湿度状態となると、温室への細霧の発生が停止されるものとなり、これにより、温室への細霧の供給が抑制され、温室内が高湿度状態となることが避けられ、温室内の栽培環境を良好な状態に保つことができるようになる。
【発明を実施するための最良の形態】
【００１６】
以下、本発明を図面に基づいて詳細に説明する。図１はこの発明の一実施の形態を示す温室細霧冷房システムのシステム構成図である。同図において、１は植物を栽培するための温室、２は温室１の内部に設けられた温度センサ、３は温室１の内部に設けられた湿度センサ、４は温室１の外部に設けられた温度センサ、５は温室１の外部に設けられた湿度センサ、６は温室１の外部に設けられた日射計、７は温室１内の細霧による冷房を制御する細霧冷房制御装置、８は細霧冷房制御装置７によってオン／オフ制御される、もしくは吐出圧力を制御される細霧ポンプである。
【００１７】
なお、温室１には、換気口として天窓９（９−１，９−２）が設けられている。天窓９（９−１，９−２）の上部には開閉可能にルーフ１０（１０−１，１０−２）が設けられている。また、天窓９（９−１，９−２）の下部には、展張可能に遮光カーテン１１（１１−１，１１−２）が設けられている。ルーフ１０の天窓９に対する開閉や遮光カーテン１１の天窓９に対する展張は、天窓＆カーテン制御装置１２によって制御されるようになっている。
【００１８】
また、温室１内には、細霧ポンプ８を介して供給される水の循環通路（パイプ）１３が巡らされており、このパイプ１３に多数のノズル１４を設け、これらのノズル１４によって細霧を発生させ、温室１内に供給するようにしている。このノズル１４は換気の給気口付近に集中的に配置されてもよいし、温室内空間に分散して配置されてもよい。
【００１９】
細霧冷房制御装置７は、プロセッサや記憶装置からなるハードウェアと、これらのハードウェアと協働して制御装置としての各種機能を実現させるプログラムとによって実現され、温度センサ２を介して入力される室内温度Ｔｄｉ、温度センサ４を介して入力される室外温度Ｔｄｏ、湿度センサ３を介して入力される室内相対湿度Ｒｉ、湿度センサ５を介して入力される室外相対湿度Ｒｏ、日射計６を介して入力される屋外日射束Ｓｏや閾値として設定される換気設定温度Ｔｖ、細霧発生設定温度（細霧供給設定温度）Ｔｆ、遮光カーテン温度Ｔｃなどに基づいて、細霧ポンプ８のオン／オフを制御したり、ルーフ１０や遮光カーテン１１の開閉を制御する。なお、強制換気の場合は、Ｔｄｉとして排気口の気温を用いるのがよい。
【００２０】
なお、本実施の形態において、細霧発生設定温度Ｔｆは換気設定温度Ｔｖよりも高い値（Ｔｆ＞Ｔｖ）として設定され、遮光カーテン設定温度Ｔｃは細霧発生設定温度Ｔｆよりも高い値（Ｔｃ＞Ｔｆ）として設定され（図４参照）、これらが閾値として細霧冷房制御装置７内に記憶されている。また、本実施の形態において、細霧発生設定温度Ｔｆは、換気設定温度Ｔｖよりも５℃以上高い値として設定されている。
【００２１】
以下、図３および図６に示すフローチャートに従って、細霧冷房制御装置７が実行する本実施の形態特有の処理動作について説明する。なお、参考として、図２にこの温室細霧冷房システムで用いられる変数や係数のリストを示す。
【００２２】
〔細霧発生開始手順〕
細霧冷房制御装置７は、温度センサ２からの室内温度Ｔｄｉおよび湿度センサ３からの室内相対湿度Ｒｉを入力し（図３に示すステップ３０１）、入力された室内温度Ｔｄｉと換気設定温度Ｔｖとを比較する（ステップ３０２）。室内温度Ｔｄｉが換気設定温度Ｔｖ以下であれば、ステップ３０２のＮＯに応じてステップ３０１へ戻り、室内温度Ｔｄｉと室内相対湿度Ｒｉの入力を繰り返す。なお、図１において、遮光カーテン１１は展張されていないものとする。
【００２３】
室内温度Ｔｄｉは、諸要因の関数として、下記（１）式に示すように表現することができる（非特許文献１参照）。この式において、ａは遮光係数（遮光カーテン資材の遮光率（％）と遮光カーテンの閉鎖率（％）の積を１０，０００で除した値：Ｓｏから温室内純放射束を推定するための係数）、ｌは気化熱、Ｅは蒸発散速度、Ｃｐは湿り空気の比熱、Ｖは換気速度（床面積あたり毎秒質量換気量）、ｋは外壁熱貫流係数、ｗは壁床面積比（壁面積／床面積）を示す。
Ｔｄｉ＝Ｔｄｏ＋（ａ・Ｓｏ−ｌＥ）／（Ｃｐ・Ｖ＋ｋ・ｗ）  ・・・・（１）
【００２４】
この（１）式から分かるように、室内温度Ｔｄｉは、室外温度Ｔｄｏ、温室内純放射束ａ・Ｓｏが大であるほど高くなり、蒸発散速度Ｅが大であるほど低くなる。
【００２５】
室内温度Ｔｄｉが換気設定温度Ｔｖよりも高くなると（ステップ３０２のＹＥＳ）、細霧冷房制御装置７は天窓＆カーテン制御装置１２へ指令を送り、ルーフ１０を上げ、天窓９を開く（ステップ３０３）。ルーフ１０の天窓９に対する開き量は、室内温度Ｔｄｉと換気設定温度Ｔｖとの差に応じて、Ｔｄｉ＝Ｔｖとなるように制御される。
【００２６】
天窓９が全開とされ、かつ室内温度Ｔｄｉが細霧発生設定温度Ｔｆよりも高くなると（ステップ３０４のＹＥＳ）、細霧冷房制御装置７は細霧ポンプ８に指令を送り、この細霧ポンプ８のオン／オフ制御を開始する（ステップ３０５）。すなわち、図７に示したように、細霧ポンプ８を細霧発生時間Ｐｆ（ｓ）の間だけ作動させ、細霧発生休止時間Ｐｂ（ｓ）の間だけ休止させ、Ｐｆ（ｓ）＋Ｐｂ（ｓ）を細霧発生周期Ｐｆｂ（ｓ）として、この作動と休止とを繰り返す。細霧ポンプ８が作動すると、パイプ１３を介してノズル１４に水が供給され、ノズル１４が細霧を発生する。このノズル１４から供給される細霧が気化する際に熱を奪うことによって温室１内の冷房（細霧冷房）が行われる。
【００２７】
細霧冷房中、細霧冷房制御装置７は室内相対湿度Ｒｉをチェックし、室内相対湿度Ｒｉが９０％を上回ると（ステップ３０６のＹＥＳ）、温室１内が高湿度状態にあると判断し、細霧冷房を停止する（ステップ３０７）。これにより、温室１への細霧の供給が抑制され、温室１内が高湿度状態となることが避けられ、温室１内の栽培環境が良好な状態に保たれる。
【００２８】
なお、温室１内の空気の絶対湿度（室内空気絶対湿度）Ｘｉと温室１内の空気の飽和絶対湿度（室内空気飽和絶対湿度）Ｘｉｓを求め、Ｘｉ＞０．９・Ｘｉｓの場合に細霧冷房を停止したり（図５（ａ）に示すステップ３０６’，３０７）、温室１内の湿球温度（室内湿球温度）Ｔｗｉと温室１の外の湿球温度（室外湿球温度）Ｔｗｏを求め、Ｔｗｉ＜Ｔｗｏ＋２℃の場合に細霧冷房を停止するようにしてもよい（図５（ｂ）に示すステップ３０６”，３０７）。
【００２９】
図５に示した例において、室内空気絶対湿度Ｘｉや室内空気飽和絶対湿度Ｘｉｓ、室内湿球温度Ｔｗｉは、室内温度Ｔｄｉと室内湿度Ｒｉとから計算によって求めることができ、室外空気絶対湿度Ｘｏや室外空気飽和絶対湿度Ｘｏｓ、室外湿球温度Ｔｗｏは、室外温度Ｔｄｏと室外湿度Ｒｏとから計算によって求めることができる。
【００３０】
細霧冷房中、室内温度Ｔｄｉが上昇し、遮光カーテン設定温度Ｔｃよりも高くなると（ステップ３０８のＹＥＳ）、細霧冷房制御装置７は天窓＆カーテン制御装置１２へ指令を送り、遮光カーテン１１を展張する（ステップ３０９）。この場合、遮光カーテン１１は全閉とはせずに、３０〜６０％閉（例えば、５０％閉）とする。これは、一定値以上の換気速度Ｖを確保するためである。
【００３１】
〔細霧発生時間の計算手順〕
細霧冷房制御装置７は、ステップ３０５において細霧冷房を開始すると、図６に示すフローチャートに従って細霧発生時間Ｐｆ（ｓ）を算出する。この細霧発生時間Ｐｆ（ｓ）によって温室１への細霧の発生速度（細霧の供給速度）が定められる。
【００３２】
まず、計測値として入力される室内温度Ｔｄｉと室内湿度Ｒｉとから、室内空気エンタルピＩｉ、室内湿球温度Ｔｗｉ、室内空気絶対湿度Ｘｉおよび室内空気飽和絶対湿度Ｘｉｓを算出する（ステップ６０１）。次に、計測値として入力される室外温度Ｔｄｏと室外湿度Ｒｏとから、室外空気エンタルピＩｏ、室外湿球温度Ｔｗｏ、室外空気絶対湿度Ｘｏおよび室外空気飽和絶対湿度Ｘｏｓを算出する（ステップ６０２）。
【００３３】
そして、室内空気エンタルピＩｉ、室外空気エンタルピＩｏ、室内温度Ｔｄｉ、室外温度Ｔｄｏ、屋外日射束Ｓｏ、外壁熱貫流係数ｋ、床面積比ｗ、温室床面における地中伝熱フラックスＦｓおよび遮光係数ａを下記（２）式に代入して換気速度Ｖを算出する（ステップ６０３）。この（２）式は、温室の熱収支式（非特許文献１の１６２頁参照）から導いたものである。
Ｖ＝（ａ・Ｓｏ−（Ｔｄｉ−Ｔｄｏ）・ｋ・ｗ−Ｆｓ）／（Ｉｉ−Ｉｏ）  ・・・・（２）
【００３４】
なお、上記（２）式において、屋外日射束Ｓｏは日射計６を介して細霧冷房制御装置７へ与えられる。また、遮光係数ａは、遮光カーテン資材の遮光率と遮光カーテンの閉鎖率の積から求められる。遮光カーテン１１が全開とされている場合、遮光係数ａは０となる。また、外壁熱貫流係数ｋ、床面積比ｗ、温室床面における地中伝熱フラックスＦｓは細霧冷房制御装置７に予め設定されている。
【００３５】
次に、細霧冷房制御装置７は、室内空気絶対湿度Ｘｉと室外空気絶対湿度Ｘｏと換気速度Ｖとから、下記（３）式に従って、細霧発生前の温室内床面積当たりの蒸発散速度Ｗｃを求める（ステップ６０４）。
Ｗｃ＝Ｖ・（Ｘｉ−Ｘｏ）  ・・・・（３）
【００３６】
また、細霧発生前の室外湿球温度Ｔｗｏを細霧発生後の室内温度の最低室温予測値（Ｔｄｉmin ）とする（ステップ６０５）。そして、細霧発生後の最低室温予測値Ｔｄｉmin （細霧発生前の室外湿球温度Ｔｗｏ）における室内空気絶対湿度Ｘｉと室内空気飽和絶対湿度Ｘｉｓと換気速度Ｖとから、下記（４）式に従って、温室内床面積当たりの潜在追加蒸発散速度Ｗｓを求める（ステップ６０６）。なお、この（４）式における係数の０．９は、室内相対湿度Ｒｉを９０％に維持するためである。
Ｗｓ＝Ｖ・（０．９Ｘｉｓ−Ｘｉ）  ・・・・（４）
【００３７】
そして、細霧冷房制御装置７は、ステップ６０６で求めた温室内床面積当たりの潜在追加蒸発散速度Ｗｓを温室内床面積当たりの必要細霧発生速度とし（ステップ６０７）、この温室内床面積当たりの必要細霧発生速度Ｗｓに床面積を乗じて温室当たりの必要細霧発生速度Ｗｇを求める（ステップ６０８）。そして、この求めた温室当たりの必要細霧発生速度Ｗｇと細霧発生周期Ｐｆｂ（ｓ）とから、実際の細霧発生速度が必要細霧発生速度Ｗｇとなるような細霧発生時間Ｐｆ（ｓ）を算出する（ステップ６０９）。
【００３８】
この算出した細霧発生時間Ｐｆ（ｓ）のあいだ細霧ポンプ８を作動させ、Ｐｆｂ（ｓ）−Ｐｆ（ｓ）として得られる細霧発生休止時間Ｐｂ（ｓ）のあいだ細霧ポンプ８を休止させ、この作動と休止とを繰り返すことにより、温室１への細霧の発生速度が必要細霧発生速度Ｗｇとなる。
【００３９】
このように、本実施の形態では、温室１の内外の環境に拘わらず、温室１への細霧の発生速度が必要細霧発生速度Ｗｇとされるので、常に適切な量の細霧が温室１内に供給されるようになり、温室１内の激しい温度変動をなくして、温室１内の栽培環境を良好な状態に保つことができるようになる。
【００４０】
なお、上述した実施の形態では、細霧発生時間Ｐｆ（ｓ）を調整することによって細霧発生速度を制御するようにしたが、細霧発生休止時間Ｐｂ（ｓ）を零とし、すなわち細霧を連続発生させるものとし、細霧発生ポンプ８の吐出圧力やノズル（細霧発生ノズル）１４の使用数を調整することによって細霧発生速度を制御するようにしてもよい。
【００４１】
また、上述した実施の形態では、換気速度Ｖを温室の熱収支式から導いた（２）式によって求めるようにしたが、この式によって換気速度Ｖの算定が困難な場合には、室内温度Ｔｄｉや室外温度Ｔｄｏ、天窓９の開度などから概算するようにしてもよい。
【００４２】
また、上述した実施の形態では、遮光カーテン１１を設けた例で説明したが、強光時にも細霧冷房によって温室１内の温度が適切に制御されるのであれば、遮光カーテン１１は必ずしも必要としない。
【図面の簡単な説明】
【００４３】
【図１】本発明の一実施の形態を示す温室細霧冷房システムのシステム構成図である。
【図２】この温室細霧冷房システムで用いられる変数や係数のリストを示す図である。
【図３】この温室細霧冷房システムにおける細霧発生開始手順を説明するためのフローチャートである。
【図４】換気設定温度Ｔｖ、細霧発生設定温度Ｔｆ、遮光カーテン温度Ｔｃの関係を示す図である。
【図５】高湿度状態と判断して細霧冷房を停止する他の例のフローチャートの要部を示す図である。
【図６】この温室細霧冷房システムにおける細霧発生時間の計算手順を説明するためのフローチャートである。
【図７】細霧ポンプを駆動する際の細霧発生時間Ｐｆ（ｓ）、細霧発生休止時間Ｐｂ（ｓ）、細霧発生周期Ｐｆｂ（ｓ）を示す図である。
【符号の説明】
【００４４】
１…温室、２，４…温度センサ、３，５…湿度センサ、６…日射計、７…細霧冷房制御装置、８…細霧ポンプ、９（９−１，９−２）…天窓、１０（１０−１，１０−２）…ルーフ、１１（１１−１，１１−２）…遮光カーテン、１２…天窓＆カーテン制御装置、１３…循環通路（パイプ）、１４…ノズル（細霧発生ノズル）。
【図１】
2005176721.tif 000003
【図２】
2005176721.tif 000004
【図３】
2005176721.tif 000005
【図４】
2005176721.tif 000006
【図５】
2005176721.tif 000007
【図６】
2005176721.tif 000008
【図７】
2005176721.tif 000009